(57)【要約】【課題】スキッド梱包材において、低コストで製造可能なもの、容易に製造可能で製造工程の短縮化が可能なもの、耐久性に優れ且つ容易に廃棄可能なもの、等を提供することである。【解決手段】貯湯給湯装置等の住宅設備機器１を支持し且つ運搬する為のスキッド梱包材１０は、古紙を用いて一体成形された古紙成形品で構成され、長手方向の両端部と中央部に上方に突出するように形成された複数の支持部１１〜１４と、これら支持部１１〜１４の下端部同士を連結するベース部１５と、フォークリフトの１対の爪部材８を挿入可能な爪挿入部１６，１７とを備え、住宅設備機器１を複数の支持部１１〜１４に載置して梱包した状態において、フォークリフトの１対の爪部材８を爪挿入部１６，１７に挿入し、フォークリフトで住宅設備機器１を直接持ち上げて運搬可能に構成されている。【選択図】図１
2015209213.tif 000002
【特許請求の範囲】
【請求項１】
貯湯給湯装置等の住宅設備機器を支持し且つ運搬する為の梱包材であって、フォークリフトの１対の爪部材を挿入可能な爪挿入部を備えたスキッド梱包材において、
古紙を用いて一体成形された古紙成形品で構成されていることを特徴とするスキッド梱包材。
【請求項２】
長手方向の両端部と中央部に上方に突出するように形成された複数の支持部と、これら支持部の下端部同士を連結するベース部とを備え、
前記爪挿入部は、前記複数の支持部と前記ベース部とから前記ベース部の上側に上方開放状に形成され、
前記住宅設備機器を前記複数の支持部に載置して梱包した状態において、前記フォークリフトの１対の爪部材を前記爪挿入部に挿入し、前記フォークリフトで前記住宅設備機器を直接持ち上げて運搬可能に構成されていることを特徴とする請求項１に記載のスキッド梱包材。
【請求項３】
１又は複数の切込み部が前記ベース部に形成され、
前記スキッド梱包材を廃棄する際には、前記１又は複数の切込み部を介して複数分割して廃棄可能に構成されていることを特徴とする請求項２に記載のスキッド梱包材。
【発明の詳細な説明】
【技術分野】
【０００１】
本発明はスキッド梱包材に関し、特に貯湯給湯装置等の住宅設備機器を支持した状態でフォークリフトによって持ち上げ運搬可能に構成されたものに関する。
【背景技術】
【０００２】
従来から、貯湯給湯装置等の住宅設備機器を梱包する為の梱包材として、住宅設備機器の下部をスキッド部材（搬送用固定架台、パレット）に載置支持し、住宅設備機器の上部を段ボール材等からなるカバー部材で覆い、このカバー部材をバンド部材等で住宅設備機器に固定することで住宅設備機器を梱包状態にするスキッド包装が一般に知られている。
【０００３】
ところで、一般的に、上記のスキッド部材は、複数の細長い木製部材が井桁状に組み合わされて構成されている。スキッド包装で梱包された状態の住宅設備機器を運搬する際には、住宅設備機器と木製のスキッド部材との間に又はスキッド部材に形成された隙間にフォークリフトの１対の爪部材を挿入し、フォークリフトで住宅設備機器を持ち上げて移動することができる。
【０００４】
また、木製のスキッド部材以外にも紙製のスキッド部材も実用に供されている。即ち、特許文献１のスキッド部材には、段ボール材等からなる平板状の上面材と、この上面材の裏面側の長手方向の両端部に設けられ且つ断面形状が下方に開放した逆凹形の１対の紙管と、これら逆凹形紙管と直交する方向に設けられ且つ１対の逆凹形紙管間を連結する１対の補強用紙管とを備えた構造が開示されている。
【先行技術文献】
【特許文献】
【０００５】
【特許文献１】特開平７−１５６９５０号公報
【発明の概要】
【発明が解決しようとする課題】
【０００６】
しかし、従来の木製のスキッド部材を使用する場合、スキッド部材の製造段階で、木材から細長い木製部材への加工、木材加工後の木製部材の組み立て等が必要であるので、製造コストの増加や製造工程の増加等の問題が生じてしまう。また、木製のスキッド部材は重量が重く頑丈であるので、廃棄処理する際の困難性も高いという問題もある。
【０００７】
特許文献１のスキッド部材は、段ボール材を含めた複数の紙材から構成されている。つまり、紙材から逆凹形紙管や補強用紙管への加工、紙材加工後の上面材、紙管、補強用紙管の組み立て等が必要であるので、上記の木製のスキッド部材と同様に製造コストの増加や製造工程の増加等の問題が生じてしまう。そもそも、スキッド部材の材料として段ボール材を使用する場合、木材と比較して製造コストが高くなる上、耐水性の悪化に伴う耐久性の低下等の問題が生じてしまう。
【０００８】
本発明の目的は、スキッド梱包材において、低コストで製造可能なもの、容易に製造可能で製造工程の短縮化が可能なもの、耐久性に優れ且つ容易に廃棄可能なもの、等を提供することである。
【課題を解決するための手段】
【０００９】
請求項１のスキッド梱包材は、貯湯給湯装置等の住宅設備機器を支持し且つ運搬する為の梱包材であって、フォークリフトの１対の爪部材を挿入可能な爪挿入部を備えたスキッド梱包材において、古紙を用いて一体成形された古紙成形品で構成されていることを特徴としている。
【００１０】
請求項２のスキッド梱包材は、請求項１の発明において、長手方向の両端部と中央部に上方に突出するように形成された複数の支持部と、これら支持部の下端部同士を連結するベース部とを備え、前記爪挿入部は、前記複数の支持部と前記ベース部とから前記ベース部の上側に上方開放状に形成され、前記住宅設備機器を前記複数の支持部に載置して梱包した状態において、前記フォークリフトの１対の爪部材を前記爪挿入部に挿入し、前記フォークリフトで前記住宅設備機器を直接持ち上げて運搬可能に構成されていることを特徴としている。
【００１１】
請求項３のスキッド梱包材は、請求項２の発明において、１又は複数の切込み部が前記ベース部に形成され、前記スキッド梱包材を廃棄する際には、前記１又は複数の切込み部を介して複数分割して廃棄可能に構成されていることを特徴としている。
【発明の効果】
【００１２】
請求項１の発明によれば、スキッド梱包材は、古紙を用いて一体成形された古紙成形品で構成されているので、スキッド梱包材の材料に古紙を用いることで、低コスト化が可能であり、金型成形によって古紙から古紙成形品を成形するので、複数の紙製部材から組み立てる場合と比較して、容易に製造でき且つ製造時間の短縮化が可能であり、安定した品質で供給可能となる。スキッド梱包材は古紙成形品で構成されているので、木製のスキッド部材と比較しても、十分な強度を確保でき、軽量で容易に取り扱うことができる。段ボール材等からなるスキッド部材と比較しても、耐水性が高くなるので耐久性が向上する。
【００１３】
請求項２の発明によれば、爪挿入部は、複数の支持部とベース部とからベース部の上側に上方開放状に形成され、住宅設備機器を複数の支持部に載置して梱包した状態において、フォークリフトの１対の爪部材を爪挿入部に挿入し、フォークリフトで住宅設備機器を直接持ち上げて運搬可能に構成されているので、住宅設備機器を運搬する際には１対の爪部材をスキッド梱包材に接触させずに住宅設備機器を持ち上げることで、１対の爪部材によるスキッド梱包材の損傷を防止することができる。
【００１４】
請求項３の発明によれば、スキッド梱包材には、１又は複数の切込み部がベース部に形成され、スキッド梱包材を廃棄する際には、１又は複数の切込み部を介して複数分割して廃棄可能に構成されているので、スキッド梱包材の使用後は人力で複数分割してコンパクトにすることで、容易に廃棄することができ、廃棄コストを低減することができる。
【図面の簡単な説明】
【００１５】
【図１】実施例１に係る住宅設備機器とスキッド梱包材の斜視図である。
【図２】住宅設備機器とスキッド梱包材の側面図である。
【図３】スキッド梱包材の斜視図である。
【図４】スキッド梱包材の平面図である。
【図５】スキッド梱包材の側面図である。
【図６】実施例２に係るスキッド梱包材の斜視図である。
【図７】実施例３に係るスキッド梱包材の斜視図である。
【発明を実施するための形態】
【００１６】
以下、本発明を実施するための形態について実施例に基づいて説明する。
【実施例１】
【００１７】
先ず、本発明のスキッド梱包材１０が適用される住宅設備機器１について説明する。
図１，図２に示すように、本実施例の住宅設備機器１は、図示は省略するが、例えば、給湯用湯水を貯える貯湯タンク、貯湯タンクの湯水を加熱する補助熱源機、ポンプとセンサ類と配管・配管継手類を含む補機類、制御ボックス等を有し、これらが外装ケース２の内部に収納されて構成された貯湯給湯装置である。
【００１８】
外装ケース２の内部において、住宅設備機器１の後部に円筒状の貯湯タンクが配設され、住宅設備機器１の前部の上部と中段部に補助熱源機と補機類と制御ボックス等が配設されている。尚、図１に矢印で示す前後左右を前後左右として説明する。図１に示すように、住宅設備機器１は、前後幅と、この前後幅よりも小さな左右幅を有する。
【００１９】
図１に示すように、この住宅設備機器１は、外装ケース２を支持する複数の垂直脚部材（図示略）を備えている。住宅設備機器１の下端部には、住宅設備機器１を後述するスキッド梱包材１０に固定する為の１対の水平脚部材４が設けられている。
【００２０】
次に、住宅設備機器１の包装構造について説明する。
図１〜図５に示すように、この包装構造は、住宅設備機器１を支持すると共に住宅設備機器１を運搬する為のスキッド梱包材１０と、住宅設備機器１の上部を梱包する為のカバー部材（図示略）等を有し、これら構成部材は住宅設備機器１の下部と上部を覆うように取り付けられている。尚、図１，図２は、住宅設備機器１の下部の包装状態のみを示している。
【００２１】
次に、本発明に関連するスキッド梱包材１０について説明する。
図３，図４に示すように、スキッド梱包材１０は、長手方向（前後方向）の両端部と中央部に上方に突出するように形成された複数の支持部１１〜１４と、これら支持部１１〜１４の下端部同士を連結するベース部１５と、フォークリフトの１対の爪部材８を挿入可能な１対の爪挿入部１６，１７等を備えている。スキッド梱包材１０の前後幅は、住宅設備機器１の前後幅よりも大きく設定され、スキッド梱包材１０の左右幅は、住宅設備機器１の左右幅よりも大きく設定されている。
【００２２】
複数の支持部１１〜１４は、前後方向の両端部に形成され且つ左右方向の全長に亙って形成された前後１対の外側支持部１１，１２と、中央部に形成され且つ左右方向に対向状に形成された左右１対の内側支持部１３，１４とからなる。
【００２３】
前後１対の外側支持部１１，１２は、前後１対の対称構造をなす。各外側支持部１１，１２は、左右方向に細長い平面視矩形状の上壁部１１ａ，１２ａと、この上壁部１１ａ，１２ａの周囲から斜め外方に徐々に拡開するように傾斜した状態に形成された周壁部１１ｂ，１２ｂとを夫々備えている。各上壁部１１ａ，１２ａの前後方向内側には、１対の水平脚部材４の両端部を載置する為に段落ちさせた１対の載置部１１ｃ，１２ｃが左右方向に間隔を空けて夫々形成されている。
【００２４】
左右１対の内側支持部１３，１４は、左右１対の対称構造をなす。各内側支持部１３，１４は、上壁部１３ａ，１４ａと、この上壁部１３ａ，１４ａの周囲から斜め外方に徐々に拡開するように傾斜した状態に形成された周壁部１３ｂ，１４ｂとを夫々備えている。各上壁部１３ａ，１４ａの左右方向内側には、１対の水平脚部材４の中央部を載置する為に段落ちさせた載置部１３ｃ，１４ｃが夫々形成されている。
【００２５】
ベース部１５は、平板状に形成されている。ベース部１５には、スキッド梱包材１０の剛性を確保する為に複数のリブ１５ａが前後方向に延びるように形成されている。スキッド梱包材１０の外周縁部には、ベース部１５の高さ位置よりも低い環状の鍔部１８が形成されている。
【００２６】
１対の爪挿入部１６，１７は、複数の支持部１１〜１４とベース部１５とからベース部１５の上側に上方開放状に形成されている。１対の爪挿入部１６，１７は、前部爪挿入部１６と後部爪挿入部１７からなり、前部及び後部爪挿入部１６，１７の間隔は、フォークリフトの１対の爪部材８同士の間隔に一致するように設定されている（図２参照）。
【００２７】
即ち、前部爪挿入部１６は、前側の外側支持部１１の周壁部１１ｂの後壁部と左右１対の内側支持部１３，１４の周壁部１３ｂ，１４ｂの前壁部とベース部１５の上面から形成され、後部爪挿入部１７は、後側の外側支持部１２の周壁部１２ｂの前壁部と左右１対の内側支持部１３，１４の周壁部１３ｂ，１４ｂの後壁部とベース部１５の上面とから形成されている。
【００２８】
このように、スキッド梱包材１０は、住宅設備機器１を複数の支持部１１〜１４（１対の外側支持部１１，１２と１対の内側支持部１３，１４）に載置して梱包した状態において、フォークリフトの１対の爪部材８を１対の爪挿入部１６，１７に挿入し、フォークリフトで住宅設備機器１を直接持ち上げて運搬可能に構成されている。
【００２９】
図３〜図５に示すように、ベース部１５の上面側には、２つのＶ字溝状の切込み部１９が形成されている。即ち、２つの切込み部１９は、ベース部１５の上面側において前後方向に所定の間隔をあけ且つ左右方向の全長に亙って夫々形成されている。このため、スキッド梱包材１０は、スキッド梱包材１０を廃棄する際には、複数の切込み部１９を介して複数分割して廃棄可能に構成されている。
【００３０】
また、スキッド梱包材１０は、各支持部１１〜１４において上壁部１１ａ〜１４ａの周囲から斜め外方に徐々に拡開するように傾斜した状態の周壁部１１ｂ〜１４ｂを備えているので、上下方向に同じ向きにして重ね合わせてコンパクトに積み重ね可能なように構成されている。
【００３１】
スキッド梱包材１０は、古紙を用いて一体成形された古紙成形品で構成されている。即ち、スキッド梱包材１０を製造する際には、先ず、使用済みの段ボール材や新聞紙を含む古紙（原料）に水を加えて材料を生成し、次に、この材料をメッシュ状金型に圧入して、加圧装置で圧縮加工し、次に、金型から取り出して余分な水分を乾燥させることで、スキッド梱包材１０を製造する。
【００３２】
尚、本実施例では、例えば、スキッド梱包材１０の厚みは約１０ｍｍ、スキッド梱包材１０の左右幅は約４７０ｍｍ、前後幅は約８１０ｍｍに設定され、住宅設備機器１の左右幅は約３１０ｍｍに設定されているが、これらのサイズに限定する必要はない。
【００３３】
次に、本発明のスキッド梱包材１０の作用及び効果について説明する。
住宅設備機器１をスキッド梱包材１０に固定する場合、１対の水平脚部材４を複数の支持部１１〜１４に載置して、４本の木ネジ５を１対の水平脚部材４の両端部に形成されたＵ字状孔にワッシャを介して夫々挿通して、４本の木ネジ５の先端部を前後１対の支持部１１，１２の下穴無しの載置部１１ｃ，１２ｃに直接螺合することで、１対の水平脚部材４をスキッド梱包材１０に固定する。
【００３４】
スキッド梱包材１０を用いた梱包状態の住宅設備機器１を運搬する場合、フォークリフトの１対の爪部材８を１対の爪挿入部１６，１７（住宅設備機器１とスキッド梱包材１０との間）に挿入し、フォークリフトで住宅設備機器１を直接持ち上げて所定の位置に運搬する。
【００３５】
以上説明したように、スキッド梱包材１０は、古紙を用いて一体成形された古紙成形品で構成されているので、スキッド梱包材１０の材料に古紙を用いることで、低コスト化が可能であり、金型成形によって古紙から古紙成形品を成形するので、複数の紙製部材から組み立てる場合と比較して、容易に製造でき且つ製造時間の短縮化が可能であり、安定した品質で供給可能となる。スキッド梱包材１０は古紙成形品で構成されているので、木製のスキッド部材と比較しても、十分な強度を確保でき、軽量で容易に取り扱うことができる。段ボール材等からなるスキッド部材と比較しても、耐水性が高くなるので耐久性が向上する。
【００３６】
また、爪挿入部１６，１７は、複数の支持部１１〜１４とベース部１５とからベース部１５の上側に上方開放状に形成され、住宅設備機器１を複数の支持部１１〜１４に載置して梱包した状態において、フォークリフトの１対の爪部材８を爪挿入部１６，１７に挿入し、フォークリフトで住宅設備機器１を直接持ち上げて運搬可能に構成されているので、住宅設備機器１を運搬する際には１対の爪部材８をスキッド梱包材１０に接触させずに住宅設備機器１を持ち上げることで、１対の爪部材８によるスキッド梱包材１０の損傷を防止することができる。
【００３７】
さらに、スキッド梱包材１０には、１又は複数の切込み部１９がベース部１５に形成され、スキッド梱包材１０を廃棄する際には、１又は複数の切込み部１９を介して複数分割して廃棄可能に構成されているので、スキッド梱包材１０の使用後は人力で複数分割してコンパクトにすることで、容易に廃棄することができ、廃棄コストを低減することができる。
【実施例２】
【００３８】
次に、実施例１のスキッド梱包材１０を部分的に変更した実施例２について説明する。尚、実施例１では、爪挿入部１６，１７はベース部１５の上側に上方開放状に形成されているが、実施例２では、爪挿入部２６，２７はベース部２２の下側に下方開放状に形成されている。
【００３９】
図６に示すように、スキッド梱包材１０Ａは、長手方向（前後方向）の両端部と中央部に下方に突出するように形成された複数の支持脚部２１ａ〜２１ｆと、これら支持脚部２１ａ〜２１ｆの上端部同士を連結するベース部２２と、前後方向の両端部と中央部に形成された強度確保用の複数の凹部２３ａ〜２３ｃと複数のリブ２４ａ〜２４ｃと、フォークリフトの１対の爪部材８を挿入可能な１対の爪挿入部２６，２７等を備え、古紙を用いて一体成形された古紙成形品で構成されている。
【００４０】
１対の爪挿入部２６，２７は、複数の支持脚部２１ａ〜２１ｆとベース部２２とからベース部２２の下側に下方開放状に形成されている。即ち、前部爪挿入部２６は、前側の支持脚部２１ａ，２１ｂと中央部の支持脚部２１ｃ，２１ｄとの隙間とベース部２２の下面とから形成され、後部爪挿入部２７は、後側の支持脚部２１ｅ，２１ｆと中央部の支持脚部２１ｃ，２１ｄとの隙間とベース部２２の下面とから形成されている。
【００４１】
このスキッド梱包材１０Ａは、住宅設備機器１をベース部２２に載置して梱包した状態において、フォークリフトの１対の爪部材８を１対の爪挿入部２６，２７に挿入し、フォークリフトで住宅設備機器１をベース部２２を介して持ち上げて運搬可能に構成されている。
【００４２】
ベース部２２の上面側には、２つのＶ字溝状の切込み部２９が形成されている。即ち、２つの切込み部２９は、ベース部２２の上面側において前後方向に所定の間隔をあけ且つ左右方向の全長に亙って夫々形成されている。このため、スキッド梱包材１０Ａは、スキッド梱包材１０Ａを廃棄する際には、複数の切込み部２９を介して人力で複数分割して廃棄可能に構成されている。その他の構成、作用及び効果については、実施例１と同様であるので説明は省略する。
【実施例３】
【００４３】
次に、実施例１のスキッド梱包材１０を部分的に変更した実施例３について説明する。尚、実施例１では、爪挿入部１６，１７は、ベース部１５の上側に上方開放状に形成されているが、実施例３では、爪挿入部３６，３７は、ベース部３２の下側に貫通孔を介して形成されている。
【００４４】
図７に示すように、スキッド梱包材１０Ｂは、長手方向（前後方向）の両端部と中央部に下方に突出するように形成された複数の支持脚部３１ａ〜３１ｆと、これら支持脚部３１ａ〜３１ｆの上端部同士を連結するベース部３２と、前後方向の両端部と中央部に形成された強度確保用の複数の凹部３３ａ〜３３ｃと複数のリブ３４ａ〜３４ｃと、前後方向に隣接する支持脚部３１ａ〜３１ｆ同士を連結する連結板部３５ａ〜３５ｄ、フォークリフトの１対の爪部材８を挿入可能な１対の爪挿入部３６，３７等を備え、古紙を用いて一体成形された古紙成形品で構成されている。
【００４５】
前側の支持脚部３１ａ，３１ｂと中央部の支持脚部３１ｃ，３１ｄとの間には、テーパ状の貫通孔３８ａが左右に対向状に形成され、後側の支持脚部３１ｅ，３１ｆと中央部の支持脚部３１ｃ，３１ｄとの間には、テーパ状の貫通孔３８ｂが左右に対向状に形成されている。１対の爪挿入部３６，３７は、これら貫通孔３８ａ，３８ｂとベース部３２とからベース部３２の下側に形成されている。
【００４６】
このスキッド梱包材１０Ｂは、住宅設備機器１をベース部３２に載置して梱包した状態において、フォークリフトの１対の爪部材８を１対の爪挿入部３６，３７に挿入し、フォークリフトで住宅設備機器１をベース部３２を介して持ち上げて運搬可能に構成されている。
【００４７】
ベース部３２及び連結板部３５ａ〜３５ｄの上面側には、複数のＶ字溝状の切込み部３９が形成されている。即ち、複数の切込み部３９は、ベース部３２及び連結板部３５ａ〜３５ｄの上面側において前後方向に所定の間隔をあけ且つ左右方向の全長に亙って夫々形成されている。このため、スキッド梱包材１０Ｂは、スキッド梱包材１０Ｂを廃棄する際には、複数の切込み部３９を介して人力で複数分割して廃棄可能に構成されている。その他の構成、作用及び効果については、実施例１と同様であるので説明は省略する。
【００４８】
次に、前記実施例１〜３を部分的に変更した形態について説明する。
［１］前記実施例１〜３のスキッド梱包材１０，１０Ａ，１０Ｂにおいて、住宅設備機器１を支持し且つ梱包し、フォークリフトの１対の爪部材８を挿入可能な爪挿入部１６，１７，２６，２７，３６，３７を夫々備えている構造であれば、その構造は適宜変更可能である。
【００４９】
［２］前記実施例１〜３のスキッド梱包材１０，１０Ａ，１０Ｂには、２つの切込み部１９，２９，３９が夫々形成されているが、特に２つに限定する必要はなく、１つの切込み部を形成しても良く、２以上の複数の切込み部を形成しても良く、切込み部の数は適宜変更可能である。
【００５０】
［３］その他、当業者であれば、本発明の趣旨を逸脱することなく、前記実施例に種々の変更を付加した形態で実施可能であり、本発明はそのような変更形態を包含するものである。
【符号の説明】
【００５１】
１    住宅設備機器
８    フォークリフトの１対の爪部材
１０，１０Ａ、１０Ｂ  スキッド梱包材
１１〜１４  支持部
１５  ベース部
１６，１７  爪挿入部
１９  切込み部
【図１】
2015209213.tif 000003
【図２】
2015209213.tif 000004
【図３】
2015209213.tif 000005
【図４】
2015209213.tif 000006
【図５】
2015209213.tif 000007
【図６】
2015209213.tif 000008
【図７】
2015209213.tif 000009